(57)【要約】【課題】長期使用製品安全点検制度に係る法律に適合するとともに、集合住宅の施工作業の効率化を図り、グリルカバーの装着ミスに伴うペア違いの問題を絶対に生じさせることのない極めて実用性の高い浴室乾燥機を提供する。【解決手段】浴室乾燥機１０は、浴室を構成する天井（図示せず）に固定される乾燥機本体と、当該浴室の室内側に乾燥機本体の下面を覆うように着脱可能に装着されたグリルカバー１１とを備えている。グリルカバー１１には、通気グリル１４、着脱式の目隠し部材２７を備えた複数のネジ取付部１１ｃなどが設けられ、乾燥機本体には送風ファン、フィルタ、可動ルーバ１５及び排気口などが設けられている。また、乾燥機本体の浴室側へ臨む部分に固定された製品ラベル１３が、グリルカバー１１を乾燥機本体に装着した状態で当該浴室側から視認可能となるようにグリルカバー１１の製品ラベル１３と対応する位置に開口１２が設けられている。【選択図】図１
2010002140.tif 000002
【特許請求の範囲】
【請求項１】
浴室を構成する天井に乾燥機本体が固定され、当該浴室の室内側に前記乾燥機本体を覆うグリルカバーが着脱可能に装着された浴室乾燥機において、
前記乾燥機本体の浴室側へ臨む部分に固定された製品ラベルが前記グリルカバーを前記乾燥機本体に装着した状態で当該浴室側から視認可能となるように前記グリルカバーの前記製品ラベルと対応する位置に開口を設けたことを特徴とする浴室乾燥機。
【請求項２】
前記乾燥機本体を構成するグリル取付部材に対して前記製品ラベルを固定した請求項１記載の浴室乾燥機。
【請求項３】
前記グリルカバーに設けられた開口は透明カバーのない貫通口として構成されている請求項１または２記載の浴室乾燥機。
【請求項４】
前記開口と対応する形状の取付ベースを前記乾燥機本体側に固定し、当該取付ベースに前記製品ラベルを固定した請求項３記載の浴室乾燥機。
【請求項５】
前記取付ベースは、前記グリルカバー表面と略同一面となる先端形状を備えている請求項４記載の浴室乾燥機。
【請求項６】
前記取付ベースは、前記グリルカバーと同色に形成されている請求項４または５記載の浴室乾燥機。
【請求項７】
前記乾燥機本体の前記開口と対応する位置に前記製品ラベルを固定し、前記開口に対応する形状の透明部材からなるカバー部材を乾燥機本体に固定して前記製品ラベルを覆った請求項３記載の浴室乾燥機。
【請求項８】
前記グリルカバーと一体成型された縦壁リブを前記開口の少なくとも循環吸引口側に設けた請求項３記載の浴室乾燥機。
【請求項９】
前記縦壁リブと嵌合する溝部を前記乾燥機本体に形成した請求項８記載の浴室乾燥機。
【発明の詳細な説明】
【技術分野】
【０００１】
本発明は、浴室の天井に埋め込んだ状態で取り付けられる浴室乾燥機に関する。
【背景技術】
【０００２】
２００９年から施行される長期使用製品安全点検制度に係る法律には、製品の製造番号や製造月などが記載された製品ラベルを当該製品の使用者が目視確認できる位置に貼着すべきことが規定されている。このため、浴室に設置される浴室乾燥機においても、外部から目視できる位置に製品ラベルを貼着する必要が生じている。しかしながら、浴室乾燥機は、天井に埋め込んだ状態で乾燥機本体を固定し、その下面となる浴室側に化粧カバーとなるグリルカバーを着脱可能に装着するのが一般的である。このため、製品ラベルを貼り付ける必要のある乾燥機本体はグリルカバーで覆われてしまうことになることから、浴室内にいる使用者からは乾燥機本体に貼り付けた製品ラベルを視認できない状況になってしまう。従って、法律に適合させるためには、乾燥機本体に貼り付けられた製品ラベルと同内容の製品ラベルをグリルカバーにも貼着することが求められる。
【０００３】
この点について、一般的な浴室乾燥機の構造が開示された特許文献１の図１０を参照しながら詳細に説明する。図１０に示すように、天井を構成する階上のフロアにアンカーボルト９５によって本体ケース９１が固定され、浴室ＢＲを構成する天井９３に設けられた開口部に臨む本体ケース９１の下面を覆うようにグリルカバー９２が設けられている。このため、長期使用製品安全点検制度に基づく製品ラベルを貼り付ける必要のある本体ケース９１は、グリルカバー９２の存在によって浴室ＢＲ側からは目視できない状態となる。従って、長期使用製品安全点検制度の法律に対応するためには、浴室ＢＲ側から製品ラベルが目視できるように、本体ケース９１に貼り付けた製品ラベルと同じ製品情報が記載された製品ラベルを別途グリルカバー９２にも貼り付ける必要が生じている。
【０００４】
ところで、新築住宅の建設工事における浴室乾燥機の設置作業は、まず、グリルカバーを乾燥機本体から取り外してグリルカバーを別途保管し、グリルカバーが装着されていない乾燥機本体だけを、天井を構成する階上のフロアなどに取り付け、その後、浴室内の施工や浴室の天井裏などの配管や電気工事などが行なわれ、浴室が実質的に完成した後、乾燥機本体にグリルカバーを装着するのが一般的である。このように、乾燥機本体の取り付け時期とグリルカバーの取り付け時期が大きくずれてしまうのは、グリルカバーを先に取り付けてしまうと、各種の施工ができなかったり、化粧カバーであるグリルカバーを傷つけたりしてしまうなどの問題を発生させるおそれがあるためである。
【０００５】
【特許文献１】特開２００４−１５０７１７号公報
【発明の開示】
【発明が解決しようとする課題】
【０００６】
２００９年度から施行される長期使用製品安全点検制度に浴室乾燥機を適応させるにあたり、新築の集合住宅の建設に際して実用面で大幅に施工性を低下させてしまうような新たな課題が発見され、この課題を解決すべく本発明を行ったものである。
【０００７】
具体的には、浴室乾燥機の乾燥機本体に貼着される製品ラベルの記載項目は、乾燥機本体毎に同じであるが、製品番号などは乾燥機本体毎に異なっているため、製品ラベル毎の記載内容は全て異なっている。従って、各戸に取付けられる乾燥機本体の製品ラベルとその乾燥機本体に装着されるグリルカバーの製品ラベルとは完全にペアをなしていないといけない。
【０００８】
ここで、前述したように、乾燥機本体の取り付け時期とグリルカバーの装着時期とは施工などの関係で大きくずれている。一戸建て住宅であれば、そもそも一つの浴室乾燥機しか存在しないため、乾燥機本体とペアをなすようにグリルカバーを取り付ける際に何ら問題は生じない。しかしながら、戸数が１００戸を超えるようなことも多い集合住宅では、先に各戸の浴室に取り付けられた乾燥機本体に、浴室完成後、一斉にグリルカバーを装着していく際に、１００個を超える膨大なグリルカバーの中から、乾燥機本体に貼着された製品ラベルと同内容の製品ラベルが貼着されたグリルカバーを探し出し、完全にペアとなるようにグリルカバーを装着しなければならないので、乾燥機本体の製品ラベルとグリルカバーの製品ラベルとの照合作業に多大な労力と時間が費やされている。また、乾燥機本体とペアとなっていないグリルカバーを誤装着してしまうと、長期点検法に基づく点検を行うことができない、という問題が生じ、これが新たな課題となっている。
【０００９】
本発明は、このような新たな浴室乾燥機特有の課題に対して、長期使用製品安全点検制度に係る法律に適合するとともに、集合住宅の施工作業の効率化及びペア違いとなるような装着ミスを絶対に生じさせることのない、極めて実用性の高い浴室乾燥機を提供できるように工夫されたものである。
【課題を解決するための手段】
【００１０】
本発明は、浴室を構成する天井に乾燥機本体が固定され、当該浴室の室内側に前記乾燥機本体を覆うグリルカバーが着脱可能に装着された浴室乾燥機において、
前記乾燥機本体の浴室側へ臨む部分に固定された製品ラベルが前記グリルカバーを前記乾燥機本体に装着した状態で当該浴室側から視認可能となるように前記グリルカバーの前記製品ラベルと対応する位置に開口を設けたことを特徴とする。
【００１１】
このような構成とすれば、乾燥機本体の浴室側へ臨む部分に固定された製品ラベルが、グリルカバーに設けられた開口を通して浴室側から視認可能となるため、長期使用製品安全点検制度に係る法律に適合することができる。また、グリルカバーには製品ラベルが無く、乾燥機本体のみに製品ラベルが固定されたことにより、乾燥機本体にグリルカバーを装着する際の製品ラベルの照合作業が不要となるため、集合住宅の施工において乾燥機本体とグリルカバーとの組み合わせに特別な配慮を必要とせず、施工作業の効率化を図ることができ、装着ミスによる問題も絶対に発生しない。
【００１２】
請求項２記載の態様によれば、前記乾燥機本体を構成するグリル取付部材に対して前記製品ラベルを固定しているため、グリルカバー及び製品ラベルが同一のグリル取付部材に固定されることとなるため、製品ラベルとグリルカバーの開口の位置合わせ精度を高めることができる。また、位置合わせ精度が高まることにより、グリルカバーの開口を必要以上に大きくすることを抑制することができるため、化粧部材であるグリルカバーの意匠性の低下を抑制し、製品としての外観性低下も抑制することができる。
【００１３】
請求項３記載の態様によれば、前記グリルカバーに設けられた開口は透明カバーのない単純な貫通口として構成しているため、長期使用製品安全点検制度に係る法律に規定された１０年後の点検に際して１０年間という長い期間に渡って製品ラベルに対する汚れ付着を抑制して視認不良が生じないように工夫したものである。
【００１４】
具体的には、浴室乾燥機においては、内蔵された送風ファンの吸引によって乾燥機本体内に大きな負圧が発生するが、特に送風ファンの吸気口に設けられるフィルタが汚れたような場合、空気が、フィルタを通過しない形で、吸気口以外のグリルカバーに存在する色々な部位の隙間や開口から汚れとともに強烈に内部空間に吸引されてしまい、隙間や開口のみならず内部を汚してしまうという問題が避けられない状態が生じる。そこで、今回設けた製品ラベルの視認口であるグリルカバーの開口に透明カバーを取り付けた場合、この透明カバーを内部から汚してしまって製品ラベルを１０年間に渡って確実に視認させ続けることができなくなるので、製品ラベルを視認するためには、この透明カバーを頻繁に清掃しなくてはいけないという問題が生じる。
【００１５】
そこで、請求項３記載の発明では、グリルカバーの開口に透明カバーを設けない構成としているので、製品ラベルの視認性が確保され、仮に製品ラベルが汚れたとしてもグリルカバーを取り外して清掃するなどの対応を必要とせず、表側から開口に指を入れて汚れを拭き取るだけで視認性を確保することができるものである。
【００１６】
請求項４の態様によれば、前記開口と対応する形状の取付ベースを前記乾燥機本体側に固定し、当該取付ベースに前記製品ラベルを固定するようにしている。このような構成とすれば、グリルカバーの開口と製品ラベルの位置を簡単に対応させることができるとともに、製品ラベルがグリルカバーから奥まった部分に位置して、製品ラベルの視認性が悪くなってしまうという問題を解決できる。
【００１７】
また、乾燥機本体にグリルカバーを取付ける際に乾燥機本体とグリルカバーの位置がこの取付ベースで規制されるため施工ずれなどによって製品ラベルが視認できなくなるという問題を生じることがなく、施工者も製品ラベルの位置を意識する必要がないという極めて実用性の高い効果を奏することができる。
【００１８】
請求項５の態様によれば、前記取付ベースは、前記グリルカバー表面と略同一面となる先端形状を備えているため、請求項４の効果に加え、グリルカバーに設けた開口を見かけ上なくすことができるため、意匠性の向上を図ることができる。また、製品ラベルが１０年の月日の中で汚れたとしても、開口に指を入れて清掃する必要がなく、グリルカバーの清掃時に同時に製品ラベルを綺麗な状態とすることができる。さらに、先の送風ファンの吸引によって開口から空気が吸引されることがあっても、空気は製品ラベルの周縁から吸引されるような状態となるため、フィルタ汚れに起因する吸引により、製品ラベルの情報記載面を汚してしまうという問題を確実に解決できる。
【００１９】
請求項６の態様によれば、前記取付ベースは、前記グリルカバーと同色に形成されているため、さらなる外観性の向上を図ることができるとともに、製品ラベルの取付ベースに対する固定も神経質になる必要がない。
【００２０】
請求項７の態様によれば、前記乾燥機本体の前記開口と対応する位置に前記製品ラベルを固定し、前記開口に対応する形状の透明部材からなるカバー部材を乾燥機本体に固定して前記製品ラベルを覆うため、製品ラベルの損傷や汚れの付着を確実に防止することができ、請求項４同様に、施工性が向上し、汚れの除去も簡単に行うことができる。また、透明部材による光の屈折を利用すれば製品ラベルの表示を拡大して視認性の向上を図ることも可能となる。さらに、外観の向上にも有効である。
【００２１】
請求項８の態様によれば、前記グリルカバーと一体成型された縦壁リブを前記開口の少なくとも循環吸引口側に設けたので、フィルタ汚れにより、フィルタを通過しない形で空気が吸引されることがあっても、グリルカバーと一体成型された縦壁リブが開口の少なくとも循環吸引口側に設けているので、製品ラベルを汚すような状態で空気が吸引される事態を回避することができ、簡単な構成で製品ラベルの視認性を維持できる。
【００２２】
請求項９の態様によれば、前記縦壁リブと嵌合する溝部を前記乾燥機本体に形成しているので、縦壁リブと溝部との嵌合によって空気の遮断機能が一層高まり、空気吸引作用に伴って製品ラベルを汚してしまうという問題を確実に解決できる。
【発明の効果】
【００２３】
本発明により、長期使用製品安全点検制度に係る法律に適合するとともに、集合住宅の施工作業の効率化を図り、グリルカバーの装着ミスに伴うペア違いの問題を絶対に生じさせることのない極めて実用性の高い浴室乾燥機を提供できる。
【発明を実施するための最良の形態】
【００２４】
以下、本発明の実施の形態を図面に基づいて説明する。図１は本発明の第１実施形態である浴室乾燥機を示す斜視図、図２は図１に示す浴室乾燥機を構成する乾燥機本体の斜視図、図３は図２に示す乾燥機本体に固定された製品ラベルを示す図、図４（ａ）は図１のＡ−Ａ線における断面図、図４（ｂ）は図４（ａ）における矢線Ｘ部分の拡大図である。
【００２５】
図１，図２に示すように、本実施形態の浴室乾燥機１０は、浴室を構成する天井（図示せず）に固定される乾燥機本体２０と、当該浴室の室内側に乾燥機本体２０の下面を覆うように着脱可能に装着されたグリルカバー１１とを備えている。グリルカバー１１には、通気グリル１４、ネジ挿通孔（図示せず）を備えた複数のネジ取付部１１ｃ、着脱式の目隠し部材２７などが設けられ、乾燥機本体２０には、送風ファン２１、フィルタＦ、可動ルーバ１５及び排気口２２、吸気口２６などが設けられている。また、乾燥機本体２０を構成するグリル取付部材２４の周縁部分には、グリルカバー１１のネジ取付部１１ｃと同じ配列で複数の雌ネジ孔２９が設けられている。
【００２６】
乾燥機本体２０の下面に装着されたグリルカバー１１は、グリルカバー１１のネジ取付部１１ｃのネジ挿通孔（図示せず）に挿入したネジ２８をグリル取付部材２４の雌ネジ孔２９に螺着することによって乾燥機本体２０に固定されている。なお、ネジ取付部１１ｃから雌ネジ孔２９に螺着した後のネジ２８の頭部を隠すため、ネジ取付部１１ｃにはそれぞれ目隠し部材２７が取り付けられる。
【００２７】
さらに、乾燥機本体２０の浴室側へ臨む部分に固定された製品ラベル１３がグリルカバー１１を乾燥機本体２０に装着した状態で当該浴室側から視認可能となるようにグリルカバー１１の製品ラベル１３と対応する位置に開口１２が設けられている。
【００２８】
図３に示すように、製品ラベル１３には、浴室乾燥機１０の「製造事業者・住所」、「製造年月」、「設計標準使用期間」、「点検期間」、「お問い合わせ連絡先」及び「製品品番」など、長期使用製品安全点検制度に係る法律に規定された事項が表示されている。
【００２９】
このような構成とすれば、図１に示すように、乾燥機本体２０の浴室側へ臨む部分に固定された製品ラベル１３が、グリルカバー１１に設けられた開口１２を通して浴室側から視認可能となるため、長期使用製品安全点検制度に係る法律に適合するものとなる。また、グリルカバー１１には製品ラベルが無く、乾燥機本体２０のみに製品ラベル１３が固定されているため、乾燥機本体２０にグリルカバー１１を装着する際の製品ラベル１３の照合作業が不要となる。従って、戸数の多い集合住宅の施工においても、乾燥機本体２０とグリルカバー１１との組み合わせに特別な配慮を必要とせず、施工作業の効率化を図ることができ、装着ミスによる問題も絶対に発生しない。
【００３０】
浴室乾燥機１０の場合、図２，図４（ａ）に示すように、乾燥機本体２０を構成するグリル取付部材２４にネジ２５を介して固定された取付ベース２３に製品ラベル１３が固定されている。これにより、グリルカバー１１及び製品ラベル１３は同一のグリル取付部材２４に固定されるため、製品ラベル１３とグリルカバー１１の開口１２との位置合わせ精度が高まる。また、位置合わせ精度が高まれば、グリルカバー１１の開口１２を必要以上に大きくすることを抑制することができるため、化粧部材であるグリルカバー１１の意匠性の低下、製品としての外観性の低下を抑制することができる。
【００３１】
前述したように、開口１２と対応する形状の取付ベース２３を乾燥機本体２０側のグリル取付部材２４に固定し、当該取付ベース２３に製品ラベル１３を固定しているため、グリルカバー１１に製品ラベル１３を貼る必要がなくなり、施工性が向上する。また、図４に示すように、取付ベース２３には、グリルカバー１１表面と略同一面をなす先端面２３ａが設けられているため、グリルカバー１１の位置決めが容易であり、誤装着を防止することができる。さらに、取付ベース２３はグリルカバー１１と同色及び同材質の素材で形成しているため、意匠性及び外観性の低下を抑制することができる
【００３２】
また、開口１２には透明カバーがなく、グリルカバー１１を貫通するように設けられているため、製品ラベル１３の視認性を確保することができ、仮に製品ラベル１３が汚れても、グリルカバー１１を取り外すことなく、表側から指を入れて汚れを払拭するだけで、視認性を復活させることができる。従って、長期使用製品安全点検制度に係る法律に規定された１０年後の点検確認表示に対して汚れ付着による確認不良を防止することができる。
【００３３】
一方、図４に示すように、取付ベース２３の先端面２３ａの外周縁に沿って縦壁リブ２３ｂが設けられ、グリルカバー１１の開口１２の内周縁に沿って、縦壁リブ２３ｂを挟むように２列の縦壁リブ１１ａ，１１ｂを設けることにより溝部１１ｄが形成されている。そして、縦壁リブ２３ｂと溝部１１ｄとの嵌合部分にシール材１６が挟持されている。このような構成とすれば、取付ベース２３の先端面２３ａの外周縁と、グリルカバー１１の開口１２の内周縁との隙間が遮蔽され、フィルタＦが目詰まりしたときに発生する送風ファン２１（図２参照）による空気吸引作用を抑制することができるため、塵埃の集積による汚損を防止することができる。
【００３４】
次に、図５〜図９に基づいて、本発明の第２〜第４実施形態について説明する。なお、図５〜図９において図１〜図４と同符号を付している部分は浴室乾燥機１０の構成部分と同じ構造、機能を有する部分であり、説明を省略する。
【００３５】
図５は本発明の第２実施形態である浴室乾燥機を示す斜視図、図６は図５に示す浴室乾燥機を構成する乾燥機本体の斜視図である。図５，図６に示すように、本実施形態の浴室乾燥機３０においては、乾燥機本体４０内の通気経路４４を形成する隔壁部材４２に固定された取付ベース４３の正面部に製品ラベル１３が固定され、グリルカバー３１を乾燥機本体４０に装着した状態で浴室側から製品ラベル１３が視認可能となるように、グリルカバー３１の製品ラベル１３と対応する位置に開口３２が設けられている。
【００３６】
浴室乾燥機３０の場合、グリルカバー３１の中央寄りの目に付き易い部分に製品ラベル１３及び開口３２が配置されているため、浴室側から比較的容易に製品ラベル１３を目視確認することができる。なお、本発明の浴室乾燥機において、製品ラベル及び開口の位置は特に限定しないので、その他の位置に設けることもできる。
【００３７】
図７は本発明の第３実施形態である浴室乾燥機の製品ラベル付近を示す断面図である。図７に示すように、乾燥機本体の隔壁部材４２においてグリルカバー３１の開口３２と対応する位置に製品ラベル１３を固定し、開口３２に対応する形状の透明部材からなるカバー部材４５で製品ラベル１３を覆うこともできる。このような構造とすれば、製品ラベル１３の損傷や汚れの付着を防止することができ、汚れも簡単に除去することができる。また、透明なカバー部材４５における光の屈折により製品ラベル１３の表示が拡大されるため、視認性の向上を図ることができ、外観性の向上にも有効である。
【００３８】
図８は本発明の第４実施形態である浴室乾燥機を示す斜視図、図９は図８のＢ−Ｂ線における断面図である。図８，図９に示すように、本実施形態の浴室乾燥機５０においては、グリルカバー５１の開口５４の内周縁に沿って当該グリルカバー５１と一体成型された縦壁リブ５１ａを設けるとともに、縦壁リブ５１ａを挟むように２列の縦壁リブ５２ａ，５２ｂを乾燥機本体５２に立設することにより、縦壁リブ５１ａと嵌合する溝部５５が乾燥機本体５２に形成されている。また、縦壁リブ５１ａと溝部５５との嵌合部分にはシール材５３が挟持されている。このような構成とすれば、縦壁リブ５１ａと溝部５５との嵌合構造及びシール材５３の気密作用によって空気遮蔽性を高めることができる。
【００３９】
従って、乾燥機本体の循環吸引口に取り付けられているフィルタＦ（図２参照）に、浴室特有の高湿度で粘着性のダストが付着して圧力損失が高まり、乾燥機本体内に送風ファンによる負圧が発生することがあっても、グリルカバー５１の開口５４の周縁部分に空気吸引作用が生じ難くなるため、空気吸引作用に伴って製品ラベル１３が汚損することもない。
【産業上の利用可能性】
【００４０】
本発明の浴室乾燥機は集合住宅などの浴室乾燥設備として広く利用することができる。
【図面の簡単な説明】
【００４１】
【図１】本発明の第１実施形態である浴室乾燥機を示す斜視図である。
【図２】図１に示す浴室乾燥機を構成する乾燥機本体の斜視図である。
【図３】図２に示す乾燥機本体に固定された製品ラベルを示す図である。
【図４】（ａ）は図１のＡ−Ａ線における断面図、（ｂ）は前記（ａ）における矢線Ｘ部分の拡大図である。
【図５】本発明の第２実施形態である浴室乾燥機を示す斜視図である。
【図６】図５に示す浴室乾燥機を構成する乾燥機本体の斜視図である。
【図７】本発明の第３実施形態である浴室乾燥機の製品ラベル付近を示す断面図である。
【図８】本発明の第４実施形態である浴室乾燥機を示す斜視図である。
【図９】図８のＢ−Ｂ線における断面図である。
【図１０】従来の浴室乾燥機を示す縦断面図である。
【符号の説明】
【００４２】
１０，３０，５０  浴室乾燥機
１１，３１，５１  グリルカバー
１１ａ，１１ｂ，２３ｂ，５１ａ，５２ａ，５２ｂ  縦壁リブ
１１ｃ  ネジ取付部
１２，３２，５４  開口
１３  製品ラベル
１４  通気グリル
１５  可動ルーバ
１６，５３  シール材
２０，４０  乾燥機本体
２１  送風ファン
２２  排気口
２３，４３  取付ベース
２３ａ  先端面
２４  グリル取付部材
２５  ネジ
２６  吸気口
２７  目隠し部材
２９  雌ネジ孔
４２  隔壁部材
４４  通気経路
４５  カバー部材
５５  溝部
Ｆ  フィルタ
【図１】
2010002140.tif 000003
【図２】
2010002140.tif 000004
【図３】
2010002140.tif 000005
【図４】
2010002140.tif 000006
【図５】
2010002140.tif 000007
【図６】
2010002140.tif 000008
【図７】
2010002140.tif 000009
【図８】
2010002140.tif 000010
【図９】
2010002140.tif 000011
【図１０】
2010002140.tif 000012
【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
浴室を構成する天井に乾燥機本体が固定され、当該浴室の室内側に前記乾燥機本体を覆うグリルカバーが着脱可能に装着された浴室乾燥機において、
前記乾燥機本体の浴室側へ臨む部分に、製品ラベルが固定された取付ベースを備え、前記グリルカバーに、前記取付ベースと少なくとも一部が対応する形状の開口を設け、
前記開口は透明カバーのない貫通口として構成され、
前記グリルカバーを前記乾燥機本体に装着した状態で、前記取付ベースは前記開口を貫通し前記グリルカバー表面と略同一面となる先端形状を備えていることを特徴とする浴室乾燥機。
【請求項２】
浴室を構成する天井に乾燥機本体が固定され、当該浴室の室内側に前記乾燥機本体を覆うグリルカバーが着脱可能に装着された浴室乾燥機において、
前記乾燥機本体の浴室側へ臨む部分に、製品ラベルが固定された取付ベースを備え、前記グリルカバーに、前記取付ベースと少なくとも一部が対応する形状の開口を設け、
前記開口は透明カバーのない貫通口として構成され、
前記グリルカバーを前記乾燥機本体に装着した状態で、前記取付ベースは前記開口を貫通し前記乾燥機本体と前記グリルカバーの水平方向の位置を規制していることを特徴とする浴室乾燥機。
【請求項３】
前記取付ベースは、前記グリルカバー表面と略同一面となる先端形状を備えている請求項２記載の浴室乾燥機。
【請求項４】
前記取付ベースは、前記グリルカバーと同色に形成されている請求項１〜３のいずれかに記載の浴室乾燥機。
【請求項５】
浴室を構成する天井に乾燥機本体が固定され、当該浴室の室内側に前記乾燥機本体を覆うグリルカバーが着脱可能に装着された浴室乾燥機において、
前記乾燥機本体の浴室側へ臨む部分に固定された製品ラベルが前記グリルカバーを前記乾燥機本体に装着した状態で当該浴室側から視認可能となるように前記グリルカバーの前記製品ラベルと対応する位置に開口を設け、
前記グリルカバーに設けられた開口は透明カバーのない貫通口として構成され、
前記乾燥機本体の前記開口と対応する位置に前記製品ラベルを固定し、前記開口に対応する形状の透明部材からなるカバー部材を乾燥機本体に固定して前記製品ラベルを覆ったことを特徴とする浴室乾燥機。
【請求項６】
浴室を構成する天井に乾燥機本体が固定され、当該浴室の室内側に前記乾燥機本体を覆うグリルカバーが着脱可能に装着された浴室乾燥機において、
前記乾燥機本体の浴室側へ臨む部分に固定された製品ラベルが前記グリルカバーを前記乾燥機本体に装着した状態で当該浴室側から視認可能となるように前記グリルカバーの前記製品ラベルと対応する位置に開口を設け、
前記グリルカバーに設けられた開口は透明カバーのない貫通口として構成され、
前記グリルカバーと一体成型された縦壁リブを前記開口の少なくとも循環吸引口側に設けたことを特徴とする浴室乾燥機。
【請求項７】
前記縦壁リブと嵌合する溝部を前記乾燥機本体に形成した請求項６記載の浴室乾燥機。
【手続補正２】
【補正対象書類名】明細書
【補正対象項目名】００１０
【補正方法】変更
【補正の内容】
【００１０】
請求項１に係る発明は、浴室を構成する天井に乾燥機本体が固定され、当該浴室の室内側に前記乾燥機本体を覆うグリルカバーが着脱可能に装着された浴室乾燥機において、
前記乾燥機本体の浴室側へ臨む部分に、製品ラベルが固定された取付ベースを備え、前記グリルカバーに、前記取付ベースと少なくとも一部が対応する形状の開口を設け、
前記開口は透明カバーのない貫通口として構成され、
前記グリルカバーを前記乾燥機本体に装着した状態で、前記取付ベースは前記開口を貫通し前記グリルカバー表面と略同一面となる先端形状を備えていることを特徴とする。
【手続補正３】
【補正対象書類名】明細書
【補正対象項目名】００１１
【補正方法】変更
【補正の内容】
【００１１】
請求項２に係る発明は、浴室を構成する天井に乾燥機本体が固定され、当該浴室の室内側に前記乾燥機本体を覆うグリルカバーが着脱可能に装着された浴室乾燥機において、
前記乾燥機本体の浴室側へ臨む部分に、製品ラベルが固定された取付ベースを備え、前記グリルカバーに、前記取付ベースと少なくとも一部が対応する形状の開口を設け、
前記開口は透明カバーのない貫通口として構成され、
前記グリルカバーを前記乾燥機本体に装着した状態で、前記取付ベースは前記開口を貫通し前記乾燥機本体と前記グリルカバーの水平方向の位置を規制していることを特徴とする。
【手続補正４】
【補正対象書類名】明細書
【補正対象項目名】００１２
【補正方法】変更
【補正の内容】
【００１２】
請求項１の構成または請求項２の構成とすれば、乾燥機本体の浴室側へ臨む部分に固定された製品ラベルが、グリルカバーに設けられた開口を通して浴室側から視認可能となるため、長期使用製品安全点検制度に係る法律に適合することができる。また、グリルカバーには製品ラベルが無く、乾燥機本体のみに製品ラベルが固定されたことにより、乾燥機本体にグリルカバーを装着する際の製品ラベルの照合作業が不要となるため、集合住宅の施工において乾燥機本体とグリルカバーとの組み合わせに特別な配慮を必要とせず、施工作業の効率化を図ることができ、装着ミスによる問題も絶対に発生しない。
【手続補正５】
【補正対象書類名】明細書
【補正対象項目名】００１３
【補正方法】変更
【補正の内容】
【００１３】
請求項１に係る発明または請求項２に係る発明によれば、前記グリルカバーに設けられた開口は透明カバーのない単純な貫通口として構成しているため、長期使用製品安全点検制度に係る法律に規定された１０年後の点検に際して１０年間という長い期間に渡って製品ラベルに対する汚れ付着を抑制して視認不良が生じないように工夫したものである。
【手続補正６】
【補正対象書類名】明細書
【補正対象項目名】００１５
【補正方法】変更
【補正の内容】
【００１５】
そこで、請求項１に係る発明または請求項２に係る発明では、グリルカバーの開口に透明カバーを設けない構成としているので、製品ラベルの視認性が確保され、仮に製品ラベルが汚れたとしてもグリルカバーを取り外して清掃するなどの対応を必要とせず、視認性を確保することができるものである。
【手続補正７】
【補正対象書類名】明細書
【補正対象項目名】００１６
【補正方法】変更
【補正の内容】
【００１６】
請求項１に係る発明または請求項２に係る発明では、前記開口と対応する形状の取付ベースを前記乾燥機本体側に固定し、当該取付ベースに前記製品ラベルを固定するようにしている。このような構成とすれば、グリルカバーの開口と製品ラベルの位置を簡単に対応させることができるとともに、製品ラベルがグリルカバーから奥まった部分に位置して、製品ラベルの視認性が悪くなってしまうという問題を解決できる。
【手続補正８】
【補正対象書類名】明細書
【補正対象項目名】００１８
【補正方法】変更
【補正の内容】
【００１８】
請求項１に係る発明若しくは請求項３の態様によれば、前記取付ベースは、前記グリルカバー表面と略同一面となる先端形状を備えているため、グリルカバーに設けた開口を見かけ上なくすことができるため、意匠性の向上を図ることができる。また、製品ラベルが１０年の月日の中で汚れたとしても、グリルカバーの清掃時に同時に製品ラベルを綺麗な状態とすることができる。さらに、先の送風ファンの吸引によって開口から空気が吸引されることがあっても、空気は製品ラベルの周縁から吸引されるような状態となるため、フィルタ汚れに起因する吸引により、製品ラベルの情報記載面を汚してしまうという問題を確実に解決できる。
【手続補正９】
【補正対象書類名】明細書
【補正対象項目名】００１９
【補正方法】変更
【補正の内容】
【００１９】
請求項４の態様によれば、前記取付ベースは、前記グリルカバーと同色に形成されているため、さらなる外観性の向上を図ることができるとともに、製品ラベルの取付ベースに対する固定も神経質になる必要がない。
【手続補正１０】
【補正対象書類名】明細書
【補正対象項目名】００２０
【補正方法】変更
【補正の内容】
【００２０】
請求項５に係る発明によれば、前記乾燥機本体の前記開口と対応する位置に前記製品ラベルを固定し、前記開口に対応する形状の透明部材からなるカバー部材を乾燥機本体に固定して前記製品ラベルを覆うため、製品ラベルの損傷や汚れの付着を確実に防止することができ、請求項４同様に、施工性が向上し、汚れの除去も簡単に行うことができる。また、透明部材による光の屈折を利用すれば製品ラベルの表示を拡大して視認性の向上を図ることも可能となる。さらに、外観の向上にも有効である。
【手続補正１１】
【補正対象書類名】明細書
【補正対象項目名】００２１
【補正方法】変更
【補正の内容】
【００２１】
請求項６に係る発明によれば、前記グリルカバーと一体成型された縦壁リブを前記開口の少なくとも循環吸引口側に設けたので、フィルタ汚れにより、フィルタを通過しない形で空気が吸引されることがあっても、グリルカバーと一体成型された縦壁リブが開口の少なくとも循環吸引口側に設けているので、製品ラベルを汚すような状態で空気が吸引される事態を回避することができ、簡単な構成で製品ラベルの視認性を維持できる。
【手続補正１２】
【補正対象書類名】明細書
【補正対象項目名】００２２
【補正方法】変更
【補正の内容】
【００２２】
請求項７の態様によれば、前記縦壁リブと嵌合する溝部を前記乾燥機本体に形成しているので、縦壁リブと溝部との嵌合によって空気の遮断機能が一層高まり、空気吸引作用に伴って製品ラベルを汚してしまうという問題を確実に解決できる。
【手続補正１３】
【補正対象書類名】図面
【補正対象項目名】図３
【補正方法】変更
【補正の内容】
【図３】
2010002140.tif 000013